(57)【特許請求の範囲】
【請求項１】
筒状の口部に複数のステムが立設された容器本体と、
前記複数のステムに取付けられ、該ステムの押下げによって該ステムから流入する内容物を吐出可能なノズルと、
前記口部に固定された固定盤と、
前記固定盤に上方へ取外し可能に上方から取付けられ、前記ノズルを前記口部の周方向に囲むカバーと、を備え、
前記固定盤及び前記カバーの一方は、前記カバーの取付け状態において外面が外部に露出する嵌合外壁部を備え、
前記固定盤及び前記カバーの他方は、前記口部の周方向に間隔を空けて配置された上下方向に沿って延びる一対の対向面からなるとともに前記カバーの取付け時に前記嵌合外壁部が嵌入される被嵌合部を備えることを特徴とする吐出容器。
【請求項２】
前記固定盤及び前記カバーの一方は、前記口部の中心軸線の周りに対称な２つの前記嵌合外壁部を備え、
前記固定盤及び前記カバーの他方は、前記口部の中心軸線の周りに対称な２つの前記被嵌合部を備え、
前記カバーは、前記固定盤に対し、前記口部の中心軸線の周りに１８０°回転させた２つの回転位置のいずれでも取付け可能に構成されている、請求項１に記載の吐出容器。
【請求項３】
前記カバーは、前記被嵌合部である一対の対向面を相互に連結する挿入周壁部を備え、
前記固定盤は、前記挿入周壁部を上方から挿入可能な溝部に隣接して配置された前記嵌合外壁部を備える、請求項１又は２に記載の吐出容器。
【請求項４】
前記ノズルは、前記複数のステムに着脱可能に取付けられる基部と、該基部から前記口部の径方向外側に突出し、先端に前記内容物の吐出口を有する吐出筒部と、を備え、
前記カバーは、前記ノズルの前記基部を前記口部の周方向に囲むとともに前記吐出口を外方に突出させる収容凹部を備える、請求項１〜３のいずれか一項に記載の吐出容器。
【発明の詳細な説明】
【技術分野】
【０００１】
本発明は、筒状の口部に複数のステムが立設された容器本体と、複数のステムに取付けられるノズルと、口部に固定された固定盤と、固定盤に着脱可能に取付けられるカバーと、を備える吐出容器に関する。
【背景技術】
【０００２】
従来、例えば特許文献１に記載されるように、筒状の口部に複数のステムが立設された容器本体と、複数のステムに取付けられ、該ステムの押下げによって該ステムから流入する内容物を吐出可能なノズルと、口部に固定された固定盤と、固定盤に上方へ取外し可能に上方から取付けられ、ノズルを口部の周方向に囲むカバーと、を備える吐出容器が知られている。
【先行技術文献】
【特許文献】
【０００３】
【特許文献１】特開２０１５−８５９８１号公報
【発明の概要】
【発明が解決しようとする課題】
【０００４】
このような吐出容器は、通常、吐出容器全体が略円筒形状をなすように構成されるため、ノズルやカバーの洗浄などのために使用者がカバーを取外す際に、使用者がカバーを上方に取外すべきであることを認識できないと、カバーを口部の周方向にねじって取外そうとし、ステムなどの部位で容器本体を破損してしまうおそれがあった。
【０００５】
本発明は、このような問題を解決するために開発されたもので、カバーの取外し方向を視覚的に認識し易くし、もって容器本体の破損の発生を回避することができる吐出容器を提供することを目的とする。
【課題を解決するための手段】
【０００６】
本発明の吐出容器は、筒状の口部に複数のステムが立設された容器本体と、前記複数のステムに取付けられ、該ステムの押下げによって該ステムから流入する内容物を吐出可能なノズルと、前記口部に固定された固定盤と、前記固定盤に上方へ取外し可能に上方から取付けられ、前記ノズルを前記口部の周方向に囲むカバーと、を備え、前記固定盤及び前記カバーの一方は、前記カバーの取付け状態において外面が外部に露出する嵌合外壁部を備え、前記固定盤及び前記カバーの他方は、前記口部の周方向に間隔を空けて配置された上下方向に沿って延びる一対の対向面からなるとともに前記カバーの取付け時に前記嵌合外壁部が嵌入される被嵌合部を備えることを特徴とする。
【０００７】
また、本発明の吐出容器では、前記固定盤及び前記カバーの一方は、前記口部の中心軸線の周りに対称な２つの前記嵌合外壁部を備え、前記固定盤及び前記カバーの他方は、前記口部の中心軸線の周りに対称な２つの前記被嵌合部を備え、前記カバーは、前記固定盤に対し、前記口部の中心軸線の周りに１８０°回転させた２つの回転位置のいずれでも取付け可能に構成されているのが好ましい。
【０００８】
また、本発明の吐出容器では、前記カバーは、前記被嵌合部である一対の対向面を相互に連結する挿入周壁部を備え、前記固定盤は、前記挿入周壁部を上方から挿入可能な溝部に隣接して配置された前記嵌合外壁部を備えるのが好ましい。
【０００９】
さらに、本発明の吐出容器では、前記ノズルは、前記複数のステムに着脱可能に取付けられる基部と、該基部から前記口部の径方向外側に突出し、先端に前記内容物の吐出口を有する吐出筒部と、を備え、前記カバーは、前記ノズルの前記基部を前記口部の周方向に囲むとともに前記吐出口を外方に突出させる収容凹部を備えるのが好ましい。
【発明の効果】
【００１０】
本発明によれば、固定盤とカバーの一方に設けられ外部に露出した嵌合外壁部が、固定盤とカバーの他方に設けられ一対の対向面からなる被嵌合部に上下方向に嵌入されている様子が使用者から見えるため、使用者はカバーを上方へ取外せることを視覚によって容易に認識することができる。
【００１１】
したがって、本発明によれば、カバーの取外し方向を視覚的に認識し易くし、もって容器本体の破損の発生を回避することができる吐出容器を提供することができる。
【図面の簡単な説明】
【００１２】
【図１】本発明の一実施形態に係る吐出容器の平面図である。
【図２】図１の吐出容器の一部断面正面図である。
【図３】図１の吐出容器の一部断面右側面図である。
【図４】図１の吐出容器の右側面図である。
【図５】図１の吐出容器の変形例の平面図である。
【図６】図５の吐出容器の一部断面正面図である。
【図７】図１の吐出容器の他の変形例の平面図である。
【図８】図７の吐出容器の一部断面正面図である。
【図９】図７の吐出容器の右側面図である。
【図１０】図７の吐出容器のカバーを取外すときの様子を示す一部断面正面図である。
【発明を実施するための形態】
【００１３】
以下、図１〜図４を参照して、本発明の一実施形態に係る吐出容器１について詳細に例示説明する。
【００１４】
なお、本明細書において、上下方向とは、容器本体１０の筒状の口部１１の中心軸線Ｏに沿う方向を意味し、上方は容器本体１０から見てステム１３が位置する側（図３の上方）であり、下方はその反対側である。また、前後方向とは、ノズル２０の吐出筒部２３の中心軸線に沿う方向を意味し、前方とはノズル２０から見て吐出口２２が位置する側（図３の左側）であり、後方とはその反対側である。さらに、左右方向とは、前方から後方に向かって見たときの左右方向を意味する。
【００１５】
図１〜図４に示すように、本実施形態に係る吐出容器１は、容器本体１０と、ノズル２０と、固定盤３０と、カバー４０と、押下げレバー５０と、を備えている。
【００１６】
容器本体１０は、有頂円筒状の口部１１と、口部１１に連なるとともに口部１１よりも拡径された円筒状の胴部１２と、胴部１２の下端を閉塞する底部（図示省略）と、を備えるボトル状をなしている。
【００１７】
容器本体１０は、互いに種類の異なる内容物を収容した２つの内袋を収容している。これらの内袋には、口部１１に立設された２本のステム１３が１本ずつ割当てられている。本実施形態では、容器本体１０は、内容物を外部へ吐出するための圧力を発生させる圧縮ガスなどの噴射剤を収容し、ステム１３の押下げにより弁を開いてステム１３の先端から内容物を流出させるエアゾール容器として構成されている。
【００１８】
なお、容器本体１０は、エアゾール容器に限らず、例えば、ステム１３の押下げ及び復帰の繰り返しによって内容物を吸い上げステム１３の先端から流出させることができるポンプ機構を備えるポンプ容器として構成してもよい。また、２つの内袋に収容する内容物は必ずしも互いに異なる種類である必要はなく、同一の内容物を収容してもよい。その場合、１つの内袋に２本のステム１３を割当ててもよい。
【００１９】
２本のステム１３には、ノズル２０が取付けられている。ノズル２０は、２本のステム１３に着脱可能に取付けられる基部２１と、該基部２１から口部１１の径方向外側（前方）に突出し、先端に内容物の吐出口２２を有する吐出筒部２３と、を備えている。ノズル２０は、２本のステム１３の押下げによって該ステム１３から流入する内容物を基部２１及び吐出筒部２３の内部を通じて吐出口２２から吐出することができる。
【００２０】
口部１１には、例えば合成樹脂製となる固定盤３０が固定されている。固定盤３０は、口部１１に周設された円環状の環状凸部１１ａに外周側から被さる円筒状をなすとともに該環状凸部１１ａにアンダーカット形状を介して嵌合する嵌合固定部３１を備えている。すなわち、固定盤３０は、この嵌合固定部３１によって口部１１に固定されている。なお、本実施形態では、環状凸部１１ａは、例えば、金属製や合成樹脂製となる有底円筒状の外容器に金属製となるマウンティングカップの外縁を巻締め等によって固着することで形成されている。
【００２１】
この円筒状をなす嵌合固定部３１の下端縁には、径方向外側に延びる円環状のフランジ部３２が連なっている。フランジ部３２の左右側部分には、カバー４０を係止可能な係合片３３が立設されている。係合片３３は、平面視円弧状をなすとともにフランジ部３２から上方に突出する支持壁部３３ａと、支持壁部３３ａの外面に突設された係止突起３３ｂとを備えている。
【００２２】
また、フランジ部３２の前後側部分には、それぞれ、嵌合固定部３１との間に平面視円弧状をなす溝部３４を区画形成する嵌合外壁部３５が立設されている。この２つの嵌合外壁部３５は、それぞれ、カバー４０の取付け状態において外面が外部に露出している。また、この２つの嵌合外壁部３５は、互いに口部１１の中心軸線Ｏの周りに対称な形状を有している。
【００２３】
例えば合成樹脂製となるカバー４０は、固定盤３０に上方へ取外し可能に上方から取付けられて口部１１を囲む円筒状の筒壁部４１と、該筒壁部４１の上方に連なりノズル２０を口部１１の周方向に囲む包囲壁部４２と、を備えている。
【００２４】
カバー４０（筒壁部４１及び包囲壁部４２）の左右側部分は、それぞれ、固定盤３０の係合片３３の支持壁部３３ａの外面に嵌合できる内径寸法を有する大径部をなしている。また、この左右の大径部には、それぞれ、係止レバー４４が設けられている。
【００２５】
係止レバー４４は、Ｕ字状のスリット４３ａによって区画形成された係止アーム部４４ａと、その上方に逆Ｕ字状のスリット４３ｂによって区画形成された操作アーム部４４ｂと、を備えている。係止アーム部４４ａには、固定盤３０の係合片３３の係止突起３３ｂと係合する係止部４４ａ１が設けられている。係止レバー４４は、操作アーム部４４ｂを内方へ押圧することで、係止アーム部４４ａを外方へ揺動させて固定盤３０の係合片３３との係合を解除することができる。
【００２６】
カバー４０の筒壁部４１の前後側部分には、それぞれ、口部１１の周方向に間隔を空けて配置された一対の対向面からなるとともにカバー４０の取付け時に固定盤３０の嵌合外壁部３５を嵌入させる被嵌合部４５が設けられている。具体的には、一対の対向面からなる被嵌合部４５は、筒壁部４１の大径部が口部１１の周方向から径方向内側に向けて折れ曲がる折曲部によって形成されている。
【００２７】
ここで、「嵌入」とは、図１に示したように嵌合外壁部３５が多少の隙間を残して被嵌合部４５に挿入される場合も含み、その逆に圧入される場合も含んでいる。
【００２８】
また、筒壁部４１の前後側部分に設けられた２つの被嵌合部４５は、口部１１の中心軸線Ｏの周りに対称な形状を有している。
【００２９】
筒壁部４１において被嵌合部４５である一対の対向面を相互に連結する部分は、固定盤３０の嵌合外壁部３５の内側に隣接する溝部３４に上方から挿入可能な挿入周壁部４６を構成している。
【００３０】
カバー４０の包囲壁部４２は、ノズル２０の基部２１を口部１１の周方向に囲むとともに吐出口２２を外方に突出させる収容凹部４２ａを区画形成している。
【００３１】
収容凹部４２ａには、ノズル２０の上方に、例えば合成樹脂製となる押下げレバー５０が取付けられている。押下げレバー５０は、包囲壁部４２にアンダーカット形状を介して嵌合することで固定されたレバー支持部５１と、レバー支持部５１に前端がヒンジ５２を介して連結された押下げ操作部５３と、を備えている。押下げ操作部５３は、その下面に当接突起５３ａを有し、押下げ操作部５３を押下げることで当接突起５３ａを介してノズル２０の基部２１の上面を下方へ押圧し、それにより、ステム１３を押し下げて内容物を吐出できるように構成されている。
【００３２】
このように構成された吐出容器１は、ノズル２０やカバー４０の洗浄などのために、以下の要領でカバー４０を取外すことができる。まず、係止レバー４４の操作アーム部４４ｂを内方へ押圧して固定盤３０の係合片３３との係合を解除する。そして、この状態でカバー４０を固定盤３０から上方へ引き抜き取外す。
【００３３】
ここで、その取外しの際には、固定盤３０の嵌合外壁部３５が被嵌合部４５に上下方向に嵌入されている様子が見えるため、使用者はカバー４０が上方へ取外せることを視覚によって容易に認識することができる。したがって、使用者が誤ってカバー４０を口部１１の周方向にねじって取外そうとし、ステム１３などの部位で容器本体１０の破損を生じることが回避される。
【００３４】
また、カバー４０の取外しに際しては、本実施形態では、ノズル２０は、カバー４０の包囲壁部４２の収容凹部４２ａ内に保持したままカバー４０とともに取外すことができる。また、カバー４０及び該カバー４０に保持されたノズル２０は、固定盤３０及び２つのステム１３に対し、口部１１の中心軸線Ｏの周りに１８０°回転させた２つの回転位置のいずれでも取付けることができる。
【００３５】
以上説明したように、本実施形態の吐出容器１は、固定盤３０に設けられ外部に露出した嵌合外壁部３５が、カバー４０に設けられ一対の対向面からなる被嵌合部４５に嵌入された構成を有しているので、カバー４０の取外し方向を視覚的に認識し易くし、もって容器本体１０の破損の発生を回避することができる。
【００３６】
また、本実施形態の吐出容器１は、固定盤３０が口部１１の中心軸線Ｏの周りに対称な２つの嵌合外壁部３５を備え、カバー４０が口部１１の中心軸線Ｏの周りに対称な２つの被嵌合部４５を備え、カバー４０が固定盤３０に対し口部１１の中心軸線Ｏの周りに１８０°回転させた２つの回転位置のいずれでも取付け可能に構成されている。したがって、本実施形態の吐出容器１によれば、前後どちらからでもカバー４０の取外し方向を視覚的に認識できるようにし、しかも、カバー４０の取付け時にはカバー４０の前後の向きを合わせる手間を省き、取付け作業の煩雑化を回避することができる。なお、このような対称な構成に代えて、非対称な構成とし、一方向のみで取付けられるようにしてもよい。
【００３７】
また、本実施形態の吐出容器１は、カバー４０が、被嵌合部４５である一対の対向面を相互に連結する挿入周壁部４６を備え、固定盤３０が、挿入周壁部４６を上方から挿入可能な溝部３４に隣接して配置された嵌合外壁部３５を備えているので、カバー４０を固定盤３０に安定して保持することができる。
【００３８】
さらに、本実施形態の吐出容器１は、カバー４０が、ノズル２０の基部２１を口部１１の周方向に囲むとともに吐出口２２を外方に突出させる収容凹部４２ａを備えた構成となっているので、使用者が誤ってカバー４０を口部１１の周方向にねじってしまうと、カバー４０とともにノズル２０も回転するため、特にステム１３で破損を生じ易い。したがって、このような構成の吐出容器１では、本実施形態の嵌合外壁部３５と被嵌合部４５を設けることによる効果を特に有利に享受することが可能になる。
【００３９】
なお、前述した実施形態では嵌合外壁部３５と被嵌合部４５とを２組設けていたが、必ずしもそのような構成に限らず、嵌合外壁部３５と被嵌合部４５とを１組だけ設けてもよいし、３組以上設けてもよい。
【００４０】
また、前述した実施形態では嵌合外壁部３５の内側に溝部３４を設けていたが、必ずしもそのような構成に限らず、例えば、溝部３４を設けずに、嵌合外壁部３５の内側が直接、嵌合固定部３１に連なる構成としてもよい。その場合、溝部３４に挿入されていた挿入周壁部４６の代わりに、嵌合外壁部３５を下方から挿入させる下方に開口した切り欠きを筒壁部４１に設けた構成とすることができる。
【００４２】
次に、図５〜図６を参照して、図１〜図４を用いて前述した実施形態の変形例である吐出容器１’について詳細に例示説明する。
【００４３】
図５〜図６に示すように、本変形例の吐出容器１’は、カバー４０’及び固定盤３０’の左右側部分の平面視形状が異なる他は、図１〜図４を用いて前述した実施形態の場合と同一の構成となっている。
【００４４】
すなわち、本変形例では、カバー４０’及び固定盤３０’の左右側部分は、平面視でより大きい曲率半径の円弧形状をなすことで、この左右側部分が平面視で外側に張り出すように構成されている。
【００４５】
したがって、本変形例によれば、カバー４０’の取外し時には上方へ取外すべきであることを使用者に視覚的により認識させ易くすることができる。
【００４６】
次に、図７〜図１０を参照して、図１〜図４を用いて前述した実施形態の他の変形例である吐出容器１”について詳細に例示説明する。
【００４７】
図７〜図９に示すように、本変形例の吐出容器１”は、係止レバー４４”の構成が異なる他は、図１〜図４を用いて前述した実施形態の場合と同一の構成となっている。
【００４８】
すなわち、本変形例では、係止レバー４４”は、カバー４０”の筒壁部４１”に形成された下方に開口する２本のスリット４３”によって区画形成された係止アーム部４４ａ”を備えている。係止アーム部４４ａ”には、固定盤３０の係止突起３３ｂと係合する係止部４４ａ１”が設けられている。また、係止アーム部４４ａ”の下端には、下方に向って外側に斜めに延びる操作部４４ｃ”が設けられている。係止レバー４４”は、固定盤３０に設けられた２つの係止突起３３ｂに対応して、２つ設けられている。
【００４９】
したがって、カバー４０”の取外し時には、図１０に示すように、２つの係止レバー４４”を両手の指でそれぞれ押し広げ、そのまま上方へ押し上げることで、カバー４０”を取外すことができる。
【００５０】
したがって、本変形例によれば、カバー４０”の取外し時に使用者が誤ってカバー４０”を口部１１の周方向にねじってしまう可能性をより低減することができる。
【００５１】
前述したところは、本発明の一実施形態を示したにすぎず、特許請求の範囲において、種々の変更を加えてもよいことは言うまでもない。
【００５２】
例えば、前述した実施形態の場合では、２本のステムを設けていたが、３本以上のステムを設けてもよい。
【００５３】
また、押下げレバーは、カバーとは別体に形成したものを取付けた構成としていたが、カバーと一体に形成する構成としてもよい。また、押下げレバーを省略して、ノズルを指で直接押し下げるように構成してもよい。
【００５４】
さらに、ノズルは、カバーと別体に構成していたが、例えばヒンジを介してカバーに連結された一体の構成としてもよい。また、その場合、ノズルをカバーと一体に形成する構成としてもよい。また、ノズルは、カバーの取外しに伴いカバーとともに取外される構成としたが、ノズルをカバーより先に取外せる構成としてもよい。さらに、ノズルは、前方ではなく上方に向けて内容物を吐出するように構成することも可能である。
【符号の説明】
【００５５】
１      吐出容器
１０      容器本体
１１      口部
１１ａ    環状凸部
１２      胴部
１３      ステム
２０      ノズル
２１      基部
２２      吐出口
２３      吐出筒部
３０      固定盤
３１      嵌合固定部
３２      フランジ部
３３      係合片
３３ａ    支持壁部
３３ｂ    係止突起
３４      溝部
３５      嵌合外壁部
４０      カバー
４１      筒壁部
４２      包囲壁部
４２ａ    収容凹部
４３ａ    スリット
４３ｂ    スリット
４４      係止レバー
４４ａ    係止アーム部
４４ａ１  係止部
４４ｂ    操作アーム部
４５      被嵌合部
４６      挿入周壁部
５０      押下げレバー
５１      レバー支持部
５２      ヒンジ
５３      押下げ操作部
５３ａ    当接突起
１’    吐出容器
３０’    固定盤
４０’    カバー
１”    吐出容器
４０”    カバー
４１”    筒壁部
４３”    スリット
４４”    係止レバー
４４ａ”  係止アーム部
４４ａ１”係止部
４４ｃ”  操作部
Ｏ      中心軸線
【図１】
0006656951.tif 000002
【図２】
0006656951.tif 000003
【図３】
0006656951.tif 000004
【図４】
0006656951.tif 000005
【図５】
0006656951.tif 000006
【図６】
0006656951.tif 000007
【図７】
0006656951.tif 000008
【図８】
0006656951.tif 000009
【図９】
0006656951.tif 000010
【図１０】
0006656951.tif 000011